(57)【要約】【課題】拡げたり、折りたたむことを１回の動作で行え、写真や名刺などをファイルできる折り畳みファイルを提供する。【解決手段】四角形状の紙体１に、波状山折り線２と波状谷折り線３を交互に形成し、波状山折り線と波状谷折り線に対して直交状となる複数の直状折り線４は、波状山折り線と波状谷折り線を中にして、山折り線部４Ａと谷折り線部４Ｂを両側に振り分けて、かつ隣接した直状折り線では振り分け方向を逆として形成した。折り線群によって縦横に複数の平行四辺形状の区画部５を形成し、各区画部に被ファイル物Ａの着脱保持部６を設けた。紙体を扁平状に拡げた状態で、着脱保持部に被ファイル物を着装させることで、目的とする区画部に被ファイル物をファイルできる。被ファイル物をファイルした状態でコンパクトに折り畳むことができ、持ち運びを容易に行える。紙体を扁平状に拡げることで、被ファイル物群を、捲ることなく一挙に見れる。【選択図】図１
2006247976.tif 000002
【特許請求の範囲】
【請求項１】
四角形状の紙体には、波状山折り線と波状谷折り線とが交互に形成され、これら波状山折り線と波状谷折り線に対して直交状となる複数の直状折り線は、波状山折り線と波状谷折り線を中にして、山折り線部と谷折り線部とが両側に振り分けて、かつ隣接した直状折り線では振り分け方向が逆として形成されて、折り線群によって縦横に複数の平行四辺形状の区画部が形成され、各区画部には、被ファイル物の着脱保持部が設けられていることを特徴とする折り畳みファイル。
【請求項２】
着脱保持部が、少なくとも対角の２箇所でかつ対角方向に対して交差する切り込みにより形成されていることを特徴とする請求項１記載の折り畳みファイル。
【請求項３】
着脱保持部が、両面テープにより形成されていることを特徴とする請求項１記載の折り畳みファイル。
【請求項４】
着脱保持部が、袋体により形成されていることを特徴とする請求項１記載の折り畳みファイル。
【発明の詳細な説明】
【技術分野】
【０００１】
本発明は、たとえば写真や名刺などをファイルするのに使用される折り畳みファイルに関するものである。
【背景技術】
【０００２】
従来、写真や名刺などをファイルするものとしては、アルバム形式が一般的であるが、これによると持ち運びが不便であり、また捲りながら見なければならない。そこで、拡げたり、折りたたむことが１回の動作で行えるものとして、折りたたみ地図（たとえば、特許文献１参照。）や折畳みシート（たとえば、特許文献２参照。）が提供されている。
【特許文献１】実願昭５０−１２３１３８号（実開昭５２−３７５５８号）のマイクロフィルム（第２−４図）
【特許文献２】特開平８−４４２９３号公報（第３−４頁、第１−４図）
【発明の開示】
【発明が解決しようとする課題】
【０００３】
しかし、上記した折りたたみ地図や折畳みシートは、地図などが予め印刷されているものであり、写真や名刺などのファイルには使用できない。
そこで本発明の請求項１記載の発明は、拡げたり、折りたたむことが１回の動作で行えるとともに、写真や名刺などをファイルし得る折り畳みファイルを提供することを目的としたものである。
【課題を解決するための手段】
【０００４】
前述した目的を達成するために、本発明の請求項１記載の折り畳みファイルは、四角形状の紙体には、波状山折り線と波状谷折り線とが交互に形成され、これら波状山折り線と波状谷折り線に対して直交状となる複数の直状折り線は、波状山折り線と波状谷折り線を中にして、山折り線部と谷折り線部とが両側に振り分けて、かつ隣接した直状折り線では振り分け方向が逆として形成されて、折り線群によって縦横に複数の平行四辺形状の区画部が形成され、各区画部には、被ファイル物の着脱保持部が設けられていることを特徴としたものである。
【０００５】
したがって請求項１の発明によると、折り畳み状態から、対角の隅部の２箇所における区画部の部分を離間させることで、まず直状折り線における山折り線部群や谷折り線部群を拡げて、波状山折り線や波状谷折り線により折り畳まれた状態で帯状に拡げ得、次いで波状山折り線群や波状谷折り線群を拡げ、以て紙体を扁平状に拡げ得る。このように、折り畳まれていた紙体を、離間させる動作で扁平状に拡げ得、また、逆の動作により、拡げていた紙体を折り畳み得る。そして、紙体を扁平状に拡げた状態で、着脱保持部に被ファイル物を着装させることで、目的とする区画部に被ファイル物をファイルし得る。
【０００６】
また本発明の請求項２記載の折り畳みファイルは、上記した請求項１記載の構成において、着脱保持部が、少なくとも対角の２箇所でかつ対角方向に対して交差する切り込みにより形成されていることを特徴としたものである。
【０００７】
したがって請求項２の発明によると、紙体を扁平状に拡げた状態で、切り込みに被ファイル物の対応するコーナ部分を差し込むことにより、目的とする区画部に被ファイル物をファイルし得る。
【０００８】
そして本発明の請求項３記載の折り畳みファイルは、上記した請求項１記載の構成において、着脱保持部が、両面テープにより形成されていることを特徴としたものである。
【０００９】
したがって請求項３の発明によると、紙体を扁平状に拡げた状態で、目的とする区画部における両面テープの表面接着部を露出させることで、この表面接着部を介して、目的とする区画部に被ファイル物を貼り付けてファイルし得る。
【００１０】
さらに本発明の請求項４記載の折り畳みファイルは、上記した請求項１記載の構成において、着脱保持部が、袋体により形成されていることを特徴としたものである。
【００１１】
したがって請求項４の発明によると、紙体を扁平状に拡げた状態で、目的とする区画部における袋体に被ファイル物を差し込むことにより、目的とする区画部に被ファイル物をファイルし得る。
【発明の効果】
【００１２】
上記した本発明の請求項１によると、折り畳み状態から、対角の隅部の２箇所における区画部の部分を離間させることで、まず直状折り線における山折り線部群や谷折り線部群を拡げて、波状山折り線や波状谷折り線により折り畳まれた状態で帯状に拡げることができ、次いで波状山折り線群や波状谷折り線群を拡げて、紙体を扁平状に拡げることができる。このように、折り畳まれていた紙体を、離間させる動作で扁平状に拡げることができ、また、逆の動作により、拡げていた紙体を折り畳むことができる。
【００１３】
そして、紙体を扁平状に拡げた状態で、着脱保持部に被ファイル物を着装させることで、目的とする区画部に被ファイル物をファイルできる。したがって、被ファイル物をファイルした状態でコンパクトに折り畳むことができて、持ち運びを容易に行うことができる。また、被ファイル物をファイルした状態の紙体を扁平状に拡げることができ、以て被ファイル物群を、捲ることなく一挙に見ることができる。
【００１４】
また上記した本発明の請求項２によると、紙体を扁平状に拡げた状態で、切り込みに被ファイル物の対応するコーナ部分を差し込むことにより、目的とする区画部に被ファイル物をファイルできる。
【００１５】
そして上記した本発明の請求項３によると、紙体を扁平状に拡げた状態で、目的とする区画部における両面テープの表面接着部を露出させることで、この表面接着部を介して、目的とする区画部に被ファイル物を貼り付けてファイルできる。
【００１６】
さらに上記した本発明の請求項４によると、紙体を扁平状に拡げた状態で、目的とする区画部における袋体に被ファイル物を差し込むことにより、目的とする区画部に被ファイル物をファイルできる。
【発明を実施するための最良の形態】
【００１７】
［実施の形態１］
以下に、本発明の実施の形態１を、図１〜図３に基づいて説明する。
四角形状の紙体１には、波状山折り線２と波状谷折り線３とが交互に、かつ波形状（傾斜形状）が平行される状態で形成されている。そして、これら波状山折り線２と波状谷折り線３に対して直交状となる複数の直状折り線４が形成されている。これら直状折り線４は、波状山折り線２や波状谷折り線３を中にして、山折り線部４Ａと谷折り線部４Ｂとが両側に振り分けて形成され、その際に隣接した直状折り線４を見たとき、山折り線部４Ａと谷折り線部４Ｂとの振り分け方向が逆とされている。
【００１８】
これにより、折り線２，３，４群によって、縦横に複数の平行四辺形状の区画部５が形成される。そして各区画部５には、少なくとも対角の２箇所でかつ対角方向に対して交差する切り込み（着脱保持部の一例）６が形成されている。なお、対角の隅部の２箇所における区画部は操作用区画部７となり、これら操作用区画部７５には切り込み６が形成されていない。以上の１〜７などによって、折り畳みファイル８の一例が構成される。
【００１９】
以下に、上記した実施の形態１における作用を説明する。
図２の（ａ）、図３は、折り畳みファイル８を折り畳んでいる。この状態から操作用区画部７を把持して離間させることで、まず図２の（ｂ）に示すように、直状折り線４における山折り線部４Ａ群や谷折り線部４Ｂ群が拡がり始め、そして図２の（ｃ）に示すように、波状山折り線２や波状谷折り線３により折り畳まれた状態で帯状に拡がることになる。次いで両操作用区画部７を、波状山折り線２や波状谷折り線３による折り畳み抵抗に抗して離間させることで、図２の（ｄ）に示すように、波状山折り線２群や波状谷折り線３群が拡がり始め、そして図２の（ｅ）に示すように、紙体１は扁平状に拡がることになる。
【００２０】
このように、折り畳まれていた紙体１を、両操作用区画部７を離間させる動作で扁平状に拡げ得る。また、図２の（ｅ）に示すように扁平状に拡げている紙体１は、上述とは逆の動作、すなわち両操作用区画部７を接近させる動作により、図２の（ａ）、図３に示すように折り畳み得る。
【００２１】
そして、紙体１を扁平状に拡げた状態で、対角の２箇所に形成している切り込み６に被ファイル物Ａの対応するコーナ部分を差し込むことで、図１に示すように、目的とする区画部５に被ファイル物Ａをファイルし得る。また、拡げた状態で、被ファイル物Ａを外したり、入れ換えしたりし得る。
【００２２】
したがって両操作用区画部７を接近させる動作によって、被ファイル物Ａをファイルした状態で、図２の（ａ）、図３に示すように、コンパクトに折り畳み得、以て持ち運びを容易に行える。また、両操作用区画部７を離間させる動作によって、図１に示すように、被ファイル物Ａをファイルした状態の紙体１を扁平状に拡げ得、以て被ファイル物Ａ群を、捲ることなく一挙に見れることになる。
［実施の形態２］
次に、本発明の実施の形態２を、図４に基づいて説明する。
【００２３】
すなわち、実施の形態１と同様に形成された紙体１の各区画部５には、両面テープ（着脱保持部の一例）１１が、その裏面接着部を介して貼り付けられている。以上の１〜５、７、１１などによって、折り畳みファイル１２の一例が構成される。
【００２４】
したがって、紙体１を扁平状に拡げた状態で、目的とする区画部５における両面テープ１１の表面側保護膜１１ａを剥がして表面接着部１１ｂを露出させることで、この表面接着部１１ｂを介して、目的とする区画部５に被ファイル物Ａを貼り付けてファイルし得る。また、拡げた状態で、被ファイル物Ａを剥がしたり（外したり）、貼り換えたり（入れ換えたり）し得る。
［実施の形態３］
次に、本発明の実施の形態３を、図５に基づいて説明する。
【００２５】
すなわち、実施の形態１と同様に形成された紙体１には、操作用区画部７を除いた状態で、直状折り線２間には、区画部５間に亘って帯状の透明フィルム２１が配設されている。ここで透明フィルム２１は、波状山折り線２や波状谷折り線３の両側部分、紙体１の両端部分、下位となる直状折り線２に接近した部分などが紙体１に溶着２１ａされており、以て各区画部５には、上位となる直状折り線２に接近した部分などが開口２２ａされた袋体（着脱保持部の一例）２２が形成されている。以上の１〜５、７、２１、２２などによって、折り畳みファイル２３の一例が構成される。
【００２６】
したがって、紙体１を扁平状に拡げた状態で、目的とする区画部５における袋体２２に、その開口２２ａを介して被ファイル物Ａを差し込むことで、目的とする区画部５に被ファイル物Ａをファイルし得る。また、拡げた状態で、被ファイル物Ａを抜き出したり（外したり）、抜き差したり（入れ換えたり）し得る。
【００２７】
上記した実施の形態１〜３において、被ファイル物Ａとしては写真、名刺、テレホンカード、各種の種が入れられた種袋（タネ袋）、見本の釣り針が入れられた針袋などであり、これらの大きさ（形状）に合わせて、区画部５の面積や、切り込み６、両面テープ１１、袋体２２の位置、形状などが設定されるものである。
【００２８】
上記した実施の形態１〜３では、区画部５が５行８列に形成された折り畳みファイル８、１２、２３が示されているが、これは折り畳み時における厚さ（ボリューム）などに応じて、行や列は任意に設定されるものである。
【００２９】
上記した実施の形態１〜３では、対角の隅部の２箇所の区画部が操作用区画部７とされているが、かかる操作用区画部７に硬質の表紙体を貼り付けて補強した折り畳みファイル８、１２、２３であってもよい。
【図面の簡単な説明】
【００３０】
【図１】本発明の実施の形態１を示し、折り畳みファイルを拡げた状態での正面図である。
【図２】同折り畳みファイルを折り畳み状態から拡げる状態を示す斜視図である。
【図３】同折り畳みファイルの折り畳み状態での側面図である。
【図４】本発明の実施の形態２を示し、折り畳みファイルを拡げた状態での説明図である。
【図５】本発明の実施の形態３を示し、折り畳みファイルを拡げた状態での説明図である。
【符号の説明】
【００３１】
１      紙体
２      波状山折り線
３      波状谷折り線
４      直状折り線
４Ａ    山折り線部
４Ｂ    谷折り線部
５      区画部
６      切り込み（着脱保持部）
７      操作用区画部
８      折り畳みファイル
１１    両面テープ（着脱保持部）
１１ａ  表面側保護膜
１１ｂ  表面接着部
１２    折り畳みファイル
２１    透明フィルム
２１ａ  溶着
２２    袋体（着脱保持部）
２２ａ  開口
２３    折り畳みファイル
Ａ      被ファイル物
【図１】
2006247976.tif 000003
【図２】
2006247976.tif 000004
【図３】
2006247976.tif 000005
【図４】
2006247976.tif 000006
【図５】
2006247976.tif 000007